(57)【要約】【課題】複数本の細径電線を束ねた電線束を１束から２束に分割する二股部分のテープ巻付けによる保護と結束が、容易に行えるワイヤハーネスとその製造方法を提供する。【解決手段】複数本の細径電線を集合し、１束の電線束１１ａを２束の電線束１１ｂ，１１ｃに分割し、該分割部にテープ１７を巻付けて前記細径電線を結束したワイヤハーネスの製造で、前記のテープは、２束に分割した一方の電線束のみに巻付けるテーパ状部分と、分割された２束の電線束および分割されず全体で１束となっている電線束に巻付ける矩形状部分を一体に設けてなり、１束側の電線束１１ａは断面円形状に結束され、２束に分割された側の電線束１１ｂ，１１ｃは並列に並べて断面長円形状に結束される。なお、テープは、テープの重なり部分で接着される。【選択図】図１
2012234762.tif 000002
【特許請求の範囲】
【請求項１】
複数本の細径電線を集合し、１束の電線束を２束の電線束に分割し、該分割部にテープを巻付けて前記細径電線を結束したワイヤハーネスであって、
前記テープは、前記２束に分割した一方の電線束のみに巻付けるテーパ状部分と、分割された２束の電線束および分割されず全体で１束となっている電線束に巻付ける矩形状部分を一体に設けてなり、
前記１束側の電線束は断面円形状に結束され、前記２束に分割された側の電線束は並列に並べて断面長円形状に結束されていることを特徴とするワイヤハーネス。
【請求項２】
前記テープは、テープの重なり部分で接着されていることを特徴とする請求項１に記載のワイヤハーネス。
【請求項３】
複数本の細径電線を集合し、１束の電線束を２束の電線束を分割し、該分割部をテープ巻付けで結束するワイヤハーネスの製造方法であって、
テーパ状部分と矩形状部分を一体に設けた単一のテープを用い、前記テーパ状部分を前記２束に分割した一方の電線束のみに巻付けた後、分割された２束の電線束および分割されず全体で１束となっている電線束に前記テープを巻付け、
前記全体で１束となっている電線束を断面円形状に結束し、前記２束に分割された側の電線束を断面長円形状に結束することを特徴とするワイヤハーネスの製造方法。
【発明の詳細な説明】
【技術分野】
【０００１】
本発明は、複数本の細径電線を束ねたワイヤハーネスに関する。
【背景技術】
【０００２】
携帯電話、ビデオカメラ等の小型携帯機器において、回動・捻回を有する機器内の配線に、細径の絶縁電線や同軸電線等の細径電線を複数本束ね、端末部に電気コネクタあるいは回路基板を接続したワイヤハーネスが用いられている。この種のワイヤハーネスにおいて、例えば、特許文献１に示されるように、複数本の細径電線を１束の電線束と２束に分けた電線束とし、その端末をフラット状にして電気コネクタに接続した形態のものが知られている。
【先行技術文献】
【特許文献】
【０００３】
【特許文献１】特開２００８−２６２７２９号公報
【発明の概要】
【発明が解決しようとする課題】
【０００４】
携帯電話、ビデオカメラ等の小型機器では、本体部と表示パネル部を回動可能に連結すると共に、回動部のヒンジ部分を通してワイヤハーネスによる配線が行われる。回動部を通るワイヤハーネスの細径電線は、回動・捻回による断線が生じないように束状にされているが、複数本の細径電線を束ねると、通常は安定した断面円形状の電線束となる。しかし、機器の小型化、薄型化等で、回動部での電線束を断面楕円状（平坦状）に薄く束ねたい場合がある。しかし、電線束を断面楕円状に束ねると、その形状保持に安定性がないという問題ある。
【０００５】
また、小型機器の回動部を形成するヒンジ部分の電線挿通孔が、一方が円形状で他方が機器の低背化（薄型化）を目的として高さの低い長円形状とする場合がある。この場合、長円形の電線挿通孔には、上記の形状が不安定な断面楕円状の電線束に代えて、１束の電線束を２束に分割し束径の小さい電線束にして挿通する方法が考えられる。しかし、これには電線束を１束から２束に分割する二股部分が、上記の電線挿通孔で擦れて損傷しないようにテープ巻きして保護し結束する必要がある。
【０００６】
本発明は、上述した実状に鑑みてなされたもので、複数本の細径電線を束ねた電線束を１束から２束に分割する二股部分のテープ巻付けによる保護と結束が容易に行えるワイヤハーネスとその製造方法の提供を目的とする。
【課題を解決するための手段】
【０００７】
本発明によるワイヤハーネスとその製造方法は、複数本の細径電線を集合し、１束の電線束を２束の電線束に分割し、該分割部にテープを巻付けて前記細径電線を結束したワイヤハーネスの製造で、前記のテープは、２束に分割した一方の電線束のみに巻付けるテーパ状部分と、分割された２束の電線束および分割されず全体で１束となっている電線束に巻付ける矩形状部分を一体に設けてなり、１束側の電線束は断面円形状に結束され、２束に分割された側の電線束は並列に並べて断面長円形状に結束される。なお、テープは、テープの重なり部分で接着される。
【発明の効果】
【０００８】
本発明によれば、１束の電線束を２束の電線束に分割する二股部分を、単一のテープ片により簡単に結束して形状保持することができ、形状安定な１束の電線束からなる断面円形状部と２束の電線束からなる厚さが薄くされた断面長円形状部からなる二股部分を備えたワイヤハーネスを実現することができる。
【図面の簡単な説明】
【０００９】
【図１】本発明によるワイヤハーネスの概略を説明する図である。
【図２】本発明によるワイヤハーネスの二股部分の形状を説明する図である。
【図３】本発明で用いるテープ片の例を説明する図である。
【図４】本発明によるワイヤハーネスの二股部分にテープ片を巻付ける方法の一例を説明する図である。
【発明を実施するための形態】
【００１０】
図により本発明の実施の形態を説明する。図１は本発明によるワイヤハーネスの概略を示し、図１（Ａ）は上面図、図１（Ｂ）は側面図、図１（Ｃ）は二股部分の部分図である。図において、１０はワイヤハーネス、１１ａ〜１１ｃは電線束、１２ａ〜１２ｃは電気コネクタ、１３は二股部分、１４は結束部材、１５ａ，１５ｂはヒンジ部、１６ａ，１６ｂは電線束の挿通孔、１７は結束テープを示す。
【００１１】
ワイヤハーネス１０は、図１（Ａ），（Ｂ）に示すように、複数本の細径電線１１を束ねて電線束１１ａ〜１１ｃとし、その端部に電気コネクタ１２ａ〜１２ｃ等を接続してなる。細径電線１１は、電気信号を伝送するのに適した絶縁電線あるいは同軸電線等であって、例えば、被覆外径が０.５ｍｍ以下の電線が使用される。そして、本発明のワイヤハーネス１０は、１束側の電線束１１ａを２束の電線束１１ｂ，１１ｃに２分割する二股部分１３を有し、この二股部分１３で分割した電線束をテープ巻付けにより結束すると共に、損傷から保護した構成のものを対象とする。
【００１２】
図１では、１束側の電線束１１ａの端部に電気コネクタ１２ａを接続し、２束側の一方の電線束１１ｂには電気コネクタ１２ｂを接続し、他方の電線束１１ｃには電気コネクタ１２ｃを接続した例で示しているが、電線束１１ｂと１１ｃの端末を１つにして、１つの電気コネクタに接続するようにしてもよい。また、電気コネクタ１２ａ〜１２ｃは、回路基板に置き換えた形態であってもよい。この他、電線束１１ａ〜１１ｃは、適宜、結束部材１４を用いて、間欠的あるいは連続的に（電線の端から端まで）結束させることができる。
【００１３】
電線束を１束から２束に分割する二股部分１３は、例えば、ワイヤハーネスが機器筐体等の連結部で回動あるいは捻回を受けるような部分（例えば、ヒンジ部分）を通る箇所にテープの巻付けにより形成される。一方、互いに回動可能に連結される双方の筐体のヒンジ部１５ａ，１５ｂには、電線束１１ａ〜１１ｃを挿通支持させるための挿通孔１６ａ，１６ｂが設けられている。この場合、例えば、機器筐体の低背化（薄型化）のため、一方の電線束の挿通孔を円形ではなく横長または楕円状にして高さ寸法を小さくすることがある。
【００１４】
すなわち、一方の機器筐体側のヒンジ部１５ａの電線束の挿通孔１６ａは円形状とするが、他方の機器筐体側のヒンジ部１５ｂの電線束の挿通孔１６ｂは高さを低くした長円形（長方形、楕円形を含む）状とされる場合がある。本発明は、このようなヒンジ部の円形状の挿通孔１６ａと長円形状の挿通孔１６ｂに跨って挿通させるのに適した二股部分１３の構成を備え、この二股部分１３を簡単で容易に形成するための構成を特徴としている。
【００１５】
二股部分１３の形状は、ヒンジ部１５ａ側の円形状の挿通孔１６ａには、１束側の断面円形状に束ねた電線束１１ａが挿通され、ヒンジ部１５ｂ側の断面長方形状の挿通孔１６ｂには、２束に分割されて束径が縮小された電線束１１ｂと１１ｃが挿通されるようにする。そして、この挿通孔１６ａと１６ｂに挿通される部分には、電線束１１ａ〜１１ｃの結束を兼ねて二股形状を保持する結束テープ１７が巻きつけられる。この結束テープ１７の両端１７ａ，１７ｂは、挿通孔１６ａ，１６ｂを貫通して多少突き出るようにされ、これにより、電線束１１ａ〜１１ｃが、ヒンジ部１５ａ，１５ｂの回動等で、挿通孔１６ａ，１６ｂの孔壁との擦れなどにより損傷するのを保護することができる。
【００１６】
図２は、上記の二股部分１３の詳細を示す図で、図２（Ａ）に示すように、複数本の細径電線１１を１束に束ねた電線束１１ａを、２束に分割して２つの電線束１１ｂと１１ｃとしている。電線束１１ａ〜１１ｃは、いずれも形状が安定な断面円形状で束ねられ、後述する単一のテープ片を巻付けてなる結束テープ１７で二股状に結束される。この結束テープ１７の一方の端部１７ａは、図２（Ｂ）に示すように、１束側の電線束１１ａを断面円形状に包んで結束し、テープの重なり部分１７ｃを接着固定する。
【００１７】
結束テープ１７の他方の端部１７ｂは、図２（Ｃ）に示すように、２束に分割された側の電線束１１ｂと１１ｃを並列させて断面長円形状（または楕円形状）に包んで結束し、テープの重なり部分１７ｃを接着固定する。分割された電線束１１ｂと１１ｃはその束径が、１束側の電線束１１ａの束径より小さく、端部１７ｂ側の形状は、端部１７ａ側の高さより低いが、横幅は大きく断面長円形状となる。
結束テープの巻始め箇所は電線束１１ｂと１１ｃとの間にあり、一方の電線束１１ｂを約３／４周巻いたのち他方の電線束１１ｃを約半周巻、さらに電線束１１ｂを約半周巻いて巻き終わる。これにより電線束１１ｂと１１ｃとがそれぞれ断面円形状に束ねられる。
【００１８】
図３は、上述した結束テープ１７の一例を示す図である。このテープ片１８は、ラインｘ−ｘで分ける少なくとも１つの斜辺を有するテーパ状（または台形状）の部分１８ａと、矩形状の部分１８ｂを有する形状のものが用いられる。なお、図３（Ａ）のテープ片は、テーパ状部分１８ａが１つの斜辺を有する５角形状のもの、図３（Ｂ）のテープ片は、テーパ状部分１８ａに２つの斜辺を有する６角形状のものを示している。また、図３（Ｃ）に示すように、テーパ状部分１８ａの斜辺は弧状に形成されていてもよく、角部は円弧状に形成されていてもよい。
【００１９】
上記のテープ片１８を用いたテープの巻付け方法は後述するが、テープ片１８のテーパ状部分１８ａ〜矩形状部分１８ｂは、図に示すように大よそ３つの領域（Ｙ１，Ｙ２，Ｙ３）で区切られる。まず、下側の領域Ｙ１で示す部分で、主として２束の電線束の一方のみを巻付ける。中間の領域Ｙ２で示す部分で２束に分割された他方の電線束を結束すると共に２束の電線束を巻付ける部分となる。そして、領域Ｙ３で区切られる部分で、最初の電線束を再度結束するという形態になる。
【００２０】
図４は、上記のテープ片１８を用いて、二股部分１３を結束する方法の一例を説明する図である。まず、図４（Ａ）に示すように、２束に分割された一方の電線束（例えば、１１ｂ）の付け根部分をテープ片１８のテーパ状部分１８ａの上に、必要に応じて治具等（図示省略）を用いて重ね合わせる。次いで、図４（Ｂ）に示すように、テーパ状部分１８ａの先端部分を引き出して電線束１１ｂの外周の半周くらいに巻付け、他方の電線束１１ｃとの間を仕分ける。
【００２１】
次いで、図４（Ｃ）に示すように、テープ片１８を２束の電線束１１ｂと１１ｃを包み込むように巻付ける。そして、最後に図４（Ｄ）に示すように、矩形状部分１８ｂを巻付けて電線束１１ｂと電線束１１ｃに並列させると共に分岐されていない１束の電線束１１ａを結束する。テーパ片１８の重なり部分を接着して巻付けを固定し、図２で説明した結束テープ１７とする。なお、テープ片１８は、例えば、片面を接着処理した４フッ化エチレン樹脂（ＰＴＥＥ）フィルムを用いることができる。ＰＴＦＥテープの上に他の接着テープを巻かずにＰＴＦＥが重なり部分で接着されると、他の接着テープがない分、二股部分の寸法が小さくなり、より小さな配線スペースで使用可能となる。
【００２２】
上述のワイヤハーネスは、二股部分の１束側の（全部の電線が一束になっている）電線束を円形の挿通孔に通し、分岐された２束の電線束をそれぞれ断面円形状にして並列させ、長円形の挿通孔に通すことで、２束側の電線束が配される筐体の低背化を実現できる。また、二股部分は、単一のテープ片を巻付ける簡単な作業で、１束側を断面円形に２束側を断面長円形の安定した形状で結束することが可能となる。
【符号の説明】
【００２３】
１０…ワイヤハーネス、１１ａ〜１１ｃ…電線束、１２ａ〜１２ｃ…電気コネクタ、１３…二股部分、１４…結束部材、１５ａ，１５ｂ…ヒンジ部、１６ａ，１６ｂ…電線束の挿通孔、１７…結束テープ、１８…テープ片、１８ａ…テーパ状部分、１８ｂ…矩形状部分。
【図１】
2012234762.tif 000003
【図２】
2012234762.tif 000004
【図３】
2012234762.tif 000005
【図４】
2012234762.tif 000006